(57)【要約】【課題】移動局が基地局と通信不能な場合にも、移動局のユーザが着信を検知することである。【解決手段】フェムト基地局２０は、ＵＥ管理部２６と通知制御部２７とＮＡＳsignaling処理部２８とを有する。ＵＥ管理部２６は、フェムト基地局２０による着信制御の対象となるＵＥ３０を登録する。ＮＡＳsignaling処理部２８は、ＵＥ管理部２６により登録されたＵＥ３０のフェムト基地局２０への在圏を検知した後に、ＵＥ３０とＭＭＥ１０との接続が終了した場合、該接続の終了を、ＭＭＥ１０に通知することなく、ＭＭＥ１０にＵＥ３０在圏情報を維持する。通知制御部２７は、ＵＥ３０とＭＭＥ１０との接続の終了後にＵＥ３０宛の発呼を検知した場合、該発呼の検知を通知する。【選択図】図１
2014093667.tif 000002
【特許請求の範囲】
【請求項１】
基地局による着信制御の対象となる移動局を登録する登録部と、
前記登録部により登録された移動局の前記基地局への在圏を検知した後に、前記移動局と前記基地局の上位装置との接続が終了した場合、該接続の終了を、前記上位装置に通知することなく終端することにより、前記上位装置に前記移動局の在圏情報を維持させる制御部と、
前記移動局と前記上位装置との接続の終了後に前記移動局宛の発呼を検知した場合、該発呼の検知を通知する通知部と
を有することを特徴とする基地局。
【請求項２】
前記登録部は、前記移動局からの発信時に、該移動局を登録することを特徴とする請求項１に記載の基地局。
【請求項３】
前記登録部は、前記移動局の登録から所定時間経過後に、該移動局の登録を削除することを特徴とする請求項１に記載の基地局。
【請求項４】
基地局と、該基地局と通信可能な上位装置とを有する着信制御システムであって、
前記基地局は、
基地局による着信制御の対象となる移動局を登録する登録部と、
前記登録部により登録された移動局の前記基地局への在圏を検知した後に、前記移動局と前記基地局の上位装置との接続が終了した場合、該接続の終了を、前記上位装置に通知することなく終端することにより、前記上位装置に前記移動局の在圏情報を維持させる制御部と、
前記移動局と前記上位装置との接続の終了後に前記移動局宛の発呼を検知した場合、該発呼の検知を通知する通知部とを有し、
前記上位装置は、
前記移動局と前記上位装置との接続が終了した場合、前記移動局の在圏情報を維持すると共に、前記移動局宛の発呼を検知した場合、該発呼の検知を前記基地局に通知する通信制御部
を有することを特徴とする着信制御システム。
【請求項５】
基地局が、
基地局による着信制御の対象となる移動局を登録し、
登録された前記移動局の前記基地局への在圏を検知した後に、前記移動局と前記基地局の上位装置との接続が終了した場合、該接続の終了を、前記上位装置に通知することなく終端することにより、前記上位装置に前記移動局の在圏情報を維持させ、
前記移動局と前記上位装置との接続の終了後に前記移動局宛の発呼を検知した場合、該発呼の検知を通知する
ことを特徴とする着信制御方法。
【発明の詳細な説明】
【技術分野】
【０００１】
本発明は、基地局、着信制御システム、及び着信制御方法に関する。
【背景技術】
【０００２】
従来、携帯電話を始めとする移動局は、他の移動局から自局宛の発呼を着信する際、基地局やその上位装置との間で、回線の確立や発着信に必要な各種メッセージの送受信を行う。特に、近年急速に普及しつつある無線通信方式であるＬＴＥ（Long  Term  Evolution）では、移動局は、電源をオンされると、Attach処理にて基地局、及びコアネットワーク上のＭＭＥ（Mobility  Management  Entity）やＳ−ＧＷ（Serving-GateWay）との間で回線を確立し移動局を在圏させる。この処理により、移動局は、他の移動局から自局宛の発呼を、基地局とコアネットワークとを介して着信可能な状態となる。その後、例えば、移動局の電源がオフされたことに伴い、移動局は、基地局経由で、ＭＭＥに対し、在圏情報の削除（Detach処理）を要求する。ＭＭＥは、該要求を受けると、移動局の在圏情報を削除しDetach処理を完了する。
【先行技術文献】
【特許文献】
【０００３】
【特許文献１】特開２００９−２９０５７８号公報
【特許文献２】特開２０１０−１９９７１５号公報
【特許文献３】特開２０１０−６８１８４号公報
【特許文献４】特開２０１１−１８８０４０号公報
【特許文献５】特開２０１０−１５７９１８号公報
【発明の概要】
【発明が解決しようとする課題】
【０００４】
しかしながら、上述した一連の処理は、移動局が基地局の通信圏内にあり、着信処理において基地局から送信されるPaging信号を受信可能な状態にあることを前提とすることから、以下の様な問題があった。すなわち、移動局のユーザは、他の移動局から発信があっても、上記Paging信号を移動局が受信し得ない限り、着信のあったことをリアルタイムに検知することができない。従って、例えば、移動局の電源がオフの状態にある場合や充電池が切れた場合、あるいは、電源はオンであるが移動局が通信圏外に位置する場合、移動局がバッグの中にあり着信に気付かない状態にある場合等には、ユーザは、着信を知ることができない。かかる問題は、移動局自体の電源がオフになっている場合に限らず、生じ得る。例えば、ユーザが、移動局を無線ＬＡＮ（Local  Area  Network）のみに接続して使用したり、通信不要のゲーム機として使用したりする場合等、移動局自体の電源はオンであるにも拘らず、携帯電話網との通信機能がオフになっている場合にも、同様に生じ得る問題である。
【０００５】
開示の技術は、上記に鑑みてなされたものであって、移動局が基地局と通信不能な場合にも、移動局のユーザが、着信を検知することのできる基地局、着信制御システム、及び着信制御方法を提供することを目的とする。
【課題を解決するための手段】
【０００６】
上述した課題を解決し、目的を達成するために、本願の開示する基地局は、一つの態様において、登録部と制御部と通知部とを有する。前記登録部は、基地局による着信制御の対象となる移動局を登録する。前記制御部は、前記登録部により登録された移動局の前記基地局への在圏を検知した後に、前記移動局と前記基地局の上位装置との接続が終了した場合、該接続の終了を、前記上位装置に通知することなく終端することにより、前記上位装置に前記移動局の在圏情報を維持させる。前記通知部は、前記移動局と前記上位装置との接続の終了後に前記移動局宛の発呼を検知した場合、該発呼の検知を通知する。
【発明の効果】
【０００７】
本願の開示する基地局の一つの態様によれば、移動局が基地局と通信不能な場合にも、移動局のユーザが、着信を検知することができる。
【図面の簡単な説明】
【０００８】
【図１】図１は、代替着信システムの機能的構成を示す図である。
【図２Ａ】図２Ａは、ＭＭＥのＵＥ管理テーブルにおけるデータ格納例を示す図である。
【図２Ｂ】図２Ｂは、フェムト基地局のＵＥ管理テーブルにおけるデータ格納例を示す図である。
【図３】図３は、ＭＭＥのハードウェア構成を示す図である。
【図４】図４は、フェムト基地局のハードウェア構成を示す図である。
【図５】図５は、フェムト基地局へのアタッチ時にＵＥを登録する場合における代替着信登録処理の前半部分を説明するためのシーケンス図である。
【図６】図６は、フェムト基地局へのアタッチ時にＵＥを登録する場合における代替着信登録処理の後半部分を説明するためのシーケンス図である。
【図７】図７は、ＵＥからの発信時にＵＥを登録する場合における代替着信登録処理を説明するためのシーケンス図である。
【図８】図８は、ＵＥの位置登録時にＵＥを登録する場合における代替着信登録処理の前半部分を説明するためのシーケンス図である。
【図９】図９は、ＵＥの位置登録時にＵＥを登録する場合における代替着信登録処理の後半部分を説明するためのシーケンス図である。
【図１０】図１０は、フェムト基地局によるデタッチ要求終端処理を説明するためのシーケンス図である。
【図１１】図１１は、ＵＥが着信中に携帯電話網に接続した場合の代替着信処理を説明するためのシーケンス図である。
【図１２】図１２は、ＵＥが着信終了後に携帯電話網に接続した場合の代替着信処理を説明するためのシーケンス図である。
【図１３】図１３は、ユーザが登録済ＵＥを削除する場合における代替着信登録削除処理を説明するためのシーケンス図である。
【図１４】図１４は、フェムト基地局が、ＵＥ登録時から所定時間経過後に登録済ＵＥを自律的に削除する場合における代替着信登録削除処理を説明するためのシーケンス図である。
【図１５】図１５は、フェムト基地局が、デタッチ処理開始時から所定時間経過後に登録済ＵＥを自律的に削除する場合における代替着信登録削除処理を説明するためのシーケンス図である。
【図１６】図１６は、フェムト基地局が、デタッチ処理開始時から所定時間経過後、かつ、ＭＭＥへの問合せ後に登録済ＵＥを削除する場合における代替着信登録削除処理を説明するためのシーケンス図である。
【図１７】図１７は、ＵＥが登録済ＵＥを削除する場合における代替着信登録削除処理を説明するためのシーケンス図である。
【図１８】図１８は、フェムト基地局の上位装置が登録済ＵＥを削除する場合における代替着信登録削除処理の前半部分を説明するためのシーケンス図である。
【図１９】図１９は、フェムト基地局の上位装置が登録済ＵＥを削除する場合における代替着信登録削除処理の後半部分を説明するためのシーケンス図である。
【図２０】図２０は、ＵＥがハンドオーバをすることなく、フェムト基地局からマクロ基地局に移動した場合の代替着信処理を説明するためのシーケンス図である。
【図２１】図２１は、ＵＥがフェムト基地局からマクロ基地局にハンドオーバした場合の代替着信処理を説明するためのシーケンス図である。
【発明を実施するための形態】
【０００９】
以下に、本願の開示する基地局、着信制御システム、及び着信制御方法の実施例を、図面を参照しながら詳細に説明する。なお、以下の実施例により本願の開示する基地局、着信制御システム、及び着信制御方法が限定されるものではない。
【００１０】
以下、本願の開示する一実施例に係る代替着信システムの構成を説明する。図１は、代替着信システム１の機能的構成を示す図である。図１に示す様に、代替着信システム１は、上位ノードとしてのＭＭＥ１０とフェムト基地局２０とを有する。ＭＭＥ１０とフェムト基地局２０とは、ＶＰＮ（Virtual  Private  Network）を始めとするネットワークＮを介して接続されている。ＭＭＥ１０は、方路選択部１１とＯＡＭ（Operation  Administration  and  Maintenance）部１２と呼制御部１３とローミング部１４とＮＷ（Net  Work）制御部１５とＴＡ（Tracking  Area）管理部１６とＵＥ（User  Equipment）管理部１７とを有する。これら各構成部分は、一方向又は双方向に、信号やデータの入出力が可能な様に接続されている。
【００１１】
方路選択部１１は、ＭＭＥ１０の変更を伴うハンドオーバの発生時に、新たな接続先であるＭＭＥを選択すると共に、データの送信先となる方路を選択する。ＯＡＭ部１２は、ＭＭＥ１０およびＭＭＥ１０が接続するネットワークＮの運用状態を監視し、疎通性や性能の異常あるいは故障を検知した場合に、上位装置（例えば、ＨＳＳ：Home  Subscriber  Server）または下位装置（例えば、フェムト基地局２０）への通知を行う。呼制御部１３は、ページングメッセージの配信、セキュリティ制御、ＵＥ（移動局）３０を含むＵＥの移動制御、ベアラ制御等、ユーザ呼に関するＮＡＳ（Non  Access  Stratum）制御を行う。ローミング部１４は、通信事業者の提供するサービスを、該事業者のエリア外においても、他の事業者の設備等を利用して提供するためのローミング制御を行う。ＮＷ制御部１５は、ＭＭＥ１０とネットワークＮ間における有線接続を制御する。ＴＡ管理部１６は、ＭＭＥ１０のＴＡが記録されたリストを管理する。
【００１２】
ＵＥ管理部１７は、配下に接続されたＵＥの識別、登録、削除等を行うと共に、ＵＥの移動に関する情報をフェムト基地局２０に通知する。ＵＥ管理部１７は、ＵＥ管理テーブル１７１を有する。図２Ａは、ＭＭＥ１０のＵＥ管理テーブル１７１におけるデータ格納例を示す図である。図２Ａに示す様に、ＵＥ管理テーブル１７１は、基地局ＩＤ格納領域１７１ａとＵＥＩＤ格納領域１７１ｂとを有する。基地局ＩＤ格納領域１７１ａには、フェムト基地局２０を含む基地局を識別する情報として、「基地局ＩＤ」（例えば、“２０−１”、“２０−２”、…）が更新可能に格納される。また、ＵＥＩＤ格納領域１７１ｂには、対応する基地局の通信エリアに在圏するＵＥを識別する情報として、「ＵＥＩＤ」（例えば、“３０−１”、“３０−２”、…）が更新可能に格納される。ＵＥＩＤは、例えば、ＩＭＳＩ（International  Mobile  Subscriber  Identifier）、ＴＭＳＩ（Temporary  Mobile  Subscriber  Identifier）、ＧＵＴＩ（Globally  Unique  Temporary  Identifier）等である。
【００１３】
フェムト基地局２０は、ＮＷ制御部２１とＯＡＭ部２２と呼制御部２３とＮＡＳsignaling処理部２８とＢＢ（Base  Band）処理部２４と無線処理部２５とＵＥ管理部２６と通知制御部２７とを有する。これら各構成部分は、一方向又は双方向に、信号やデータの入出力が可能な様に接続されている。ＮＷ制御部２１は、フェムト基地局２０とネットワークＮ間における有線接続を制御する。ＯＡＭ部２２は、フェムト基地局２０およびフェムト基地局２０が接続するネットワークＮの状態を監視し、疎通性や性能の異常あるいは故障を検知した場合に、上位装置（例えば、ＭＭＥ１０）または下位装置（例えば、ＵＥ３０）への通知を行う。呼制御部２３は、無線リソースの制御、ＵＥ毎の接続先ＭＭＥの選択、ハンドオーバ制御、ページングメッセージのスケジューリングと転送、ユーザデータの転送、あるいは、データの圧縮及び暗号化等を行う。ＢＢ処理部２４は、物理層、ＭＡＣ（Media  Access  Control）層、ＲＬＣ（Radio  Link  Control）層等の各レイヤにおいて、ベースバンド信号を処理する。ＮＡＳsignaling処理部２８は、ＵＥ−ＭＭＥ間で行うＮＡＳsignalingの確認とＵＥの識別子の入手を行う。無線処理部２５は、３ＧＰＰ（3rd  Generation  Partnership  Project）の通信制御規約に従い、ＵＥとの間で、物理チャネルを用いた無線信号の送受信を行う。
【００１４】
ＵＥ管理部２６は、配下に接続されたＵＥの識別、登録、削除等を行うと共に、ＵＥの状態を監視する。特に、ＵＥ管理部２６は、フェムト基地局２０に登録済のＵＥ３０宛のページング（呼出し）信号を受信すると、後述する通知制御部２７に対し、該ＵＥ３０のユーザへの通知を指示する。ＵＥ管理部２６は、ＵＥ管理テーブル２６１を有する。図２Ｂは、フェムト基地局２０のＵＥ管理テーブル２６１におけるデータ格納例を示す図である。図２Ｂに示す様に、ＵＥ管理テーブル２６１は、ＵＥＩＤ格納領域２６１ａとＵＥ状態格納領域２６１ｂとページング情報格納領域２６１ｃとを有する。ＵＥＩＤ格納領域２６１ａには、ＵＥ３０を含むＵＥを識別する情報として、「ＵＥＩＤ」（例えば、“３０−１”、“３０−２”、…）が更新可能に格納される。また、ＵＥ状態格納領域２６１ｂには、対応するＵＥの状態を示す情報として、「ＵＥ状態」が更新可能に格納される。ＵＥ状態は、例えば、フェムト基地局２０への“未登録”、“登録済”、“Detach”、“Active”、“Idle”等である。更に、ページング情報格納領域２６１ｃには、対応するＵＥに通知されていない「ページング情報」が更新可能に格納される。
【００１５】
通知制御部２７は、ＬＥＤ（Light  Emitting  Diode）、スピーカ、ディスプレイ等の通知手段を統括的に制御すると共に、ＵＥ管理部２６からの上記指示に従い、ＵＥ３０に代わり、ユーザへの着信を通知する。
【００１６】
続いて、ＭＭＥ１０、及びフェムト基地局２０のハードウェア構成を説明する。図３は、ＭＭＥ１０のハードウェア構成を示す図である。図３に示す様に、ＭＭＥ１０においては、ＣＰＵ（Central  Processing  Unit）１０ｂと、ＳＤＲＡＭ（Synchronous  Dynamic  Random  Access  Memory）等のメモリ１０ｃと、ＨＤＤ（Hard  Disk  Drive）１０ｄと、ＮＩＣ（Network  Interface  Card）１０ｅとネットワーク制御回路１０ｆとが、スイッチ１０ａを介して各種信号やデータの入出力が可能な様に接続されている。方路選択部１１とＯＡＭ部１２と呼制御部１３とローミング部１４とは、例えば、ＣＰＵ１０ｂ及びメモリ１０ｃにより実現される。ＮＷ（Net  Work）制御部１５は、例えば、ＮＩＣ１０ｅ、メモリ１０ｃ、及びネットワーク制御回路１０ｆにより実現される。ＴＡ（Tracking  Area）管理部１６とＵＥ（User  Equipment）管理部１７とは、例えば、ＣＰＵ１０ｂ、メモリ１０ｃ、及びＨＤＤ１０ｄにより実現される。
【００１７】
図４は、フェムト基地局２０のハードウェア構成を示す図である。図４に示す様に、フェムト基地局２０は、ハードウェアの構成要素として、ＣＰＵ２０ａと、ＦＰＧＡ（Field  Programmable  Gate  Array）２０ｂと、メモリ２０ｃと、ＲＦ（Radio  Frequency）回路２０ｄ、２０ｇと、ＮＩＣ２０ｅとを有する。また、フェムト基地局２０は、ネットワーク制御回路２０ｆと、ＬＥＤ（Light  Emitting  Diode）２０ｈと、スピーカ２０ｉと、ディスプレイ２０ｊとを有する。ＲＦ回路２０ｄ、２０ｇは、アンテナＡ１、Ａ２をそれぞれ有する。メモリ２０ｃは、例えば、ＳＤＲＡＭ等のＲＡＭ、ＲＯＭ（Read  Only  Memory)、フラッシュメモリにより構成される。
【００１８】
ＮＷ制御部２１は、例えば、ＮＩＣ２０ｅ、ＣＰＵ２０ａ、及びメモリ２０ｃにより実現される。ＯＡＭ部２２と呼制御部２３とＢＢ（Base  Band）処理部２４と通知制御部２７とＮＡＳsignaling処理部２８とは、例えば、ＣＰＵ２０ａ、ＦＰＧＡ２０ｂ等の集積回路、及びメモリ２０ｃにより実現される。無線処理部２５は、例えば、ＲＦ回路２０ｄ、２０ｇ、及びネットワーク制御回路２０ｆにより実現される。ＵＥ管理部２６は、例えば、ＣＰＵ２０ａ、ＦＰＧＡ２０ｂ、及びメモリ２０ｃにより実現される。ＵＥ３０のユーザに着信を通知する手段は、例えば、ＬＥＤ２０ｈ、スピーカ２０ｉ、ディスプレイ２０ｊの何れかにより実現される。ＬＥＤ２０ｈは、点灯や点滅により着信を通知し、スピーカ２０ｉは、鳴動により着信を通知する。ディスプレイ２０ｊは、着信があった旨を、ＬＣＤ（Liquid  Crystal  Display）、ＥＬ（Electro  Luminescence）等に表示することで、ユーザに着信を通知する。
【００１９】
次に、本実施例における代替着信システム１の動作を説明する。以下の動作説明では、代替着信システム１が、代替着信の対象となるＵＥを登録するフェーズ（事前登録フェーズ）と、代替着信を実行するフェーズ（代替着信フェーズ）と、代替着信の対象ＵＥの登録を解除するフェーズ（登録削除フェーズ）とに分類して、説明する。
【００２０】
まず、事前登録フェーズにおける動作を説明する。図５図６は、フェムト基地局２０へのアタッチ（Attach）時にＵＥ３０を登録する場合における代替着信登録処理を説明するためのシーケンス図である。ＵＥ３０の電源が投入されると、ＵＥ３０は、自局の在圏するセルを形成するフェムト基地局２０に対し、ＲＲＣ（Radio  Resource  Control）コネクションを確立する（Ｓ１、Ｓ２）。  
【００２１】
ＵＥ３０は、ＲＲＣコネクション確立後ＭＭＥ１０に対してAttach処理を開始する（Ｓ３）。
【００２２】
ＵＥ３０からAttach要求を受信したＭＭＥ１０はＵＥ３０の認証を行うためにAuthentication手順を実施する（Ｓ４〜Ｓ１１）。
【００２３】
フェムト基地局２０は、ＮＡＳsignaling処理部２８によりＮＡＳsignalingを監視しＵＥ３０からAuthentication手順の完了（Authentication  Response（Ｓ９）を受信すると、ＭＭＥ１０にUPLINK  NAS  TRANSPORTを用いAuthentication  Responseを送信し（Ｓ１２）、DownLink  Information  TransferによりIdentity  RequestをＵＥ３０宛に送信する（Ｓ１３）ことで、代替着信登録を行うＵＥ３０のＩＤの送信を要求する。該要求を受けたＵＥ３０は、フェムト基地局２０に対し、UpLink  Information  TransferによりIdentity  Responseを送信する（Ｓ１４）ことで、自移動局のＩＤを通知する。ＩＤの通知を受けたフェムト基地局２０のＵＥ管理部２６は、ＵＥ管理テーブル２６１（図２Ｂ参照）においてＵＥ３０と「ＵＥＩＤ」を対応付け、さらに「ＵＥ状態」を“登録済”に設定する（Ｓ１５）。なお、既に「ＵＥ状態」に何らかの値が設定されている場合には、ＵＥ管理部２６は、該値を“登録済”に更新する。
【００２４】
ＭＭＥ１０はＵＥ３０の認証が完了するとメッセージ信号の暗号化や機密保護を行うためにSecurity  Mode制御手順を実施する（Ｓ１６〜Ｓ２２）。またフェムト基地局２０はＵＥ３０の無線アクセスの能力を収集する（Ｓ２３、Ｓ２４）。全ての処理が完了後、Attach処理が完了する（Ｓ２５〜Ｓ２９）。
【００２５】
以上、代替着信システム１が、フェムト基地局２０へのアタッチ時にＵＥ３０を登録する場合を例示したが、代替着信登録を行うタイミングは、アタッチ時に限らず、ＵＥ３０からの発信時であってもよい。図７は、ＵＥ３０からの発信時にＵＥ３０を登録する場合における代替着信登録処理を説明するためのシーケンス図である。図７は、図５または図６と同様の処理を含むことから、共通するステップには、末尾が同一の参照符号を付すと共に、その詳細な説明は省略する。具体的には、図７のステップＴ１〜Ｔ７、Ｔ１３〜Ｔ１５、Ｔ１７、及びＴ１８の各処理は、図５に示したステップＳ１〜Ｓ７、Ｓ１３〜Ｓ１５、Ｓ１７、及びＳ１８の各処理にそれぞれ対応する。また、図７のステップＴ２５〜Ｔ２９の各処理は、図６に示したステップＳ２５〜Ｓ２９の各処理にそれぞれ対応する。図７に示す様に、ＵＥ３０の代替着信登録処理は、必ずしもフェムト基地局２０へのアタッチ時に実行される必要は無く、アタッチ処理を完了したＵＥ３０が他のＵＥ宛に電話やメール等の発信を行う際に実行されるものとしてもよい。
【００２６】
更に、代替着信システム１が代替着信登録を行うタイミングは、アタッチ時や発信時に限らず、ＵＥ３０の位置登録時であってもよい。図８は、ＵＥ３０の位置登録時にＵＥ３０を登録する場合における代替着信登録処理の前半部分を説明するためのシーケンス図である。図８において、ＵＥ３０が移動前に接続していたＭＭＥ（移動元ＭＭＥ）の構成と、移動に伴い新たに接続したＭＭＥ（移動先ＭＭＥ）の構成とは、何れも上述したＭＭＥ１０の構成と同様である。従って、以下の動作説明では、移動前に接続していたＭＭＥを「移動元ＭＭＥ１０−１」と記し、移動後に接続したＭＭＥを「移動先ＭＭＥ１０−２」と記すことで、各ＭＭＥを区別する。また、各ＭＭＥ１０−１、１０−２において共通する構成要素には、末尾が同一の参照符号を用いると共に、その図示及び詳細な説明は省略する。
【００２７】
図８は、図５または図６と、同様の処理を含むことから、共通するステップには、末尾が同一の参照符号を付すと共に、その詳細な説明は省略する。具体的には、図８のステップＵ１〜Ｕ４、Ｕ７、及びＵ８〜Ｕ１７の各処理は、図５に示したステップＳ１〜Ｓ４、Ｓ７、及びＳ２〜Ｓ１１の各処理にそれぞれ対応する。図９は、ＵＥ３０の位置登録時にＵＥ３０を登録する場合における代替着信登録処理の後半部分を説明するためのシーケンス図である。図９のステップＵ１８は、図５に示したステップＳ１２に対応する。更に図９のステップＵ１９、Ｕ２０は、図５に示した代替着信登録処理であるステップＳ１３、Ｓ１４にそれぞれ対応する。図９のステップＵ２１〜Ｕ２３の各処理は、図５に示したステップＳ１６〜Ｓ１８の各処理にそれぞれ対応する。更に、図９のステップＵ２４〜Ｕ２７、及びＵ２８〜Ｕ３２の各処理は、図６に示したステップＳ１９〜Ｓ２２、及びＳ２５〜Ｓ２９の各処理にそれぞれ対応する。
【００２８】
次に、代替着信フェーズを説明する。まず、代替着信フェーズにおける動作の内、フェムト基地局２０がＵＥ３０からデタッチ（Detach）要求を受けた場合の処理について説明する。図１０は、フェムト基地局２０によるデタッチ要求終端処理を説明するためのシーケンス図である。
【００２９】
Ｖ１では、ＵＥ３０は、フェムト基地局２０に対し、UL  Information  Transferを用いてDetach  Requestを送信することにより、アタッチ処理により確立された回線の解放（デタッチ処理）を要求する。フェムト基地局２０は、ＮＡＳsignaling処理部２８により該要求を確認すると、上位装置（例えば、ＭＭＥ１０）には該要求を送信せず、該要求を終端し、ＵＥ管理テーブル２６１を更新する（Ｖ２）。具体的には、ＵＥ管理部２６は、デタッチの要求元であるＵＥ３０が代替着信登録済であることを確認すると、ＵＥ管理テーブル２６１に格納されているデータの内、ＵＥ３０のＵＥ状態を示すデータを“登録済”から“Detach”に更新する。
【００３０】
Ｖ３では、フェムト基地局２０のＮＡＳsignaling処理部２８は、ＵＥ３０に対し、デタッチ要求を正常に受信したことを示すDetach  AcceptをＲＲＣ  Connection  Reconfigurationを用いて返信する。そして、呼制御部２３は、ＲＲＣ  Connection  Releaseを送信することで、フェムト基地局２０とＵＥ３０との間に確立された無線回線を解放する（Ｖ４）。
【００３１】
次に、代替着信システム１が、ＵＥ３０宛の発信があった場合に実行する代替着信処理について説明する。図１１は、ＵＥ３０が着信中に携帯電話網に接続した場合の代替着信処理を説明するためのシーケンス図である。
【００３２】
まず、Ｓ−ＧＷ５０は、ＰＤＮ−ＧＷ（Packet  Data  Network-GateWay）６０からＵＥ３０宛のDownlink  Dataを受信すると（Ｗ１）、Downlink  Data  Notificationの送信により、上記Downlink  Dataの受信をＭＭＥ１０に通知する（Ｗ２）。ＭＭＥ１０のＮＷ制御部１５は、Notificationの正常な受信を示す肯定応答（ＡＣＫ）をＳ−ＧＷ５０に返信した後（Ｗ３）、上記Ｓ１−ＡＰを用いて、ＵＥ３０が在件するＴＡ配下の全ての基地局（フェムト基地局２０を含む）またはフェムト基地局２０に対し、着信を通知するためのページング信号を送信する（Ｗ４）。
【００３３】
フェムト基地局２０は、ＭＭＥ１０から受信したページング信号を送信する（Ｗ６）とともに、上記着信が、代替着信登録済のＵＥ（例えば、ＵＥ３０）宛のものである場合、フェムト基地局２０の通知制御部２７は、ＬＥＤの点灯やスピーカの鳴動により、ＵＥ３０宛の発信があったことを、ＵＥ３０のユーザに通知する（Ｗ５）。これにより、ＵＥ３０のユーザは、自己宛の発信を知ることができる。
【００３４】
ＵＥ３０の電源が入っていないなど携帯網に接続していない場合は、ＵＥ３０のユーザはＵＥ３０の電源を入れることによりＵＥ３０のアタッチシーケンスが実行される。このとき実行されるアタッチシーケンスは、図５、図６を参照して説明したＳ１〜Ｓ２８（但し、Ｓ１８、Ｓ１９を除く）の各処理と同様であるので、詳細な説明は省略する。
【００３５】
ＵＥ３０は、携帯網に接続後もしくは既に携帯網に接続済みの場合、フェムト基地局２０からのページング信号を受信すると（Ｗ１１）、フェムト基地局２０に対し、ＲＲＣ  Connection  Setup  Completeを送信することで、サービスリクエスト処理を実行する。このとき実行されるサービスリクエスト処理は、図７を参照して説明したＴ１〜Ｔ１５，Ｔ２４〜Ｔ２８の各処理と同様であるので、詳細な説明は省略する。
【００３６】
次いで、図１２は、ＵＥ３０宛に発信してきたＵＥが発信処理を中止後にＵＥ３０が携帯電話網に接続した場合の代替着信処理を説明するためのシーケンス図である。図１２は、図１１と同様の処理を含むことから、共通するステップの一部には、末尾が同一の参照符号を付すと共に、その詳細な説明は省略する。具体的には、図１２のステップＷ１２〜Ｗ１７、及びＷ２０〜Ｗ２２の各処理は、図１１に示したステップＷ１〜Ｗ６、及びＷ８〜Ｗ１０の各処理にそれぞれ対応する。図１１と図１２との相違点は、図１１では、着信中にアタッチシーケンスが実行されたのに対し、図１２では、着信終了後にアタッチシーケンスが実行される点である。
【００３７】
すなわち、図１２では、ＵＥ３０が携帯網に接続してもページング信号は既に送信されていないため、ＵＥ３０のユーザは着信応答処理（サービスリクエスト）を実行することができない。しかし、フェムト基地局２０は、予め受信したページング信号から発信元の情報（例えば発信元の電話番号）を記録しておき、ＵＥ３０に対し、着信履歴（例えば、着信時刻、発信元の電話番号）の記録されたu-planeデータを送信する（Ｗ２３）。ＵＥ３０のユーザは、該着信履歴を参照することで、何時に誰から発信があったかを把握することができる。
【００３８】
次に、登録削除フェーズにおける動作を説明する。図１３は、ユーザが登録済ＵＥ３０を削除する場合における代替着信登録削除処理を説明するためのシーケンス図である。Ｘ１では、ＵＥ３０またはフェムト基地局２０のユーザは、フェムト基地局２０に対する直接のボタン操作等により、代替着信を登録されているＵＥ３０の登録を削除する。なお、複数のＵＥが登録されている場合には、ユーザは、ディスプレイ２０ｈに表示された登録済ＵＥの中から、削除を所望するＵＥを選択した後に、削除処理の実行を指示する。
【００３９】
登録済ＵＥの削除は、フェムト基地局２０が自律的に行ってもよい。図１４は、フェムト基地局２０が、ＵＥ登録時から所定時間経過後に登録済ＵＥ３０を自律的に削除する場合における代替着信登録削除処理を説明するためのシーケンス図である。図１４は、図７と同様の処理を含むことから、共通するステップには、末尾が同一の参照符号を付すと共に、その詳細な説明は省略する。具体的には、図１４のステップＸ１１〜Ｘ１７、Ｘ１８、及びＸ１９の各処理は、図７に示したステップＴ１〜Ｔ７、Ｔ１８、及びＴ１９の各処理にそれぞれ対応する。
【００４０】
フェムト基地局２０のＵＥ管理部２６は、ＵＥ３０の代替着信登録が完了する（Ｘ２０）と、監視タイマを起動する（Ｘ２１）。監視タイマは、ＵＥ３０登録時点を起算時として、経過時間の計測を開始する。監視タイマは、ＵＥ３０が携帯電話網へアクセス（例えば、接続要求）した場合にはリセットされ、経過時間０から計測が再開される。Ｘ２２では、フェムト基地局２０のＵＥ管理部２６は、ＵＥ３０による携帯電話網へのアクセスが無いまま、上記起算時から所定時間（例えば、１時間〜数十時間）が経過すると、ＵＥ管理テーブル２６１から、“登録済”状態にあるＵＥＩＤを削除する。これにより、フェムト基地局２０による代替着信機能は、自律的に解除される。
【００４１】
上述の態様では、監視タイマの起算時をＵＥ３０の登録時点としたが、ＵＥ３０のデタッチ処理開始時点としてもよい。図１５は、フェムト基地局２０が、デタッチ処理開始時から所定時間経過後に登録済ＵＥ３０を自律的に削除する場合における代替着信登録削除処理を説明するためのシーケンス図である。図１５は、図１０と同様の処理を含むことから、共通するステップには、末尾が同一の参照符号を付すと共に、その詳細な説明は省略する。具体的には、図１５のステップＸ３１、Ｘ３２、Ｘ３４、Ｘ３５の各処理は、図１０に示したステップＶ１、Ｖ２、Ｖ３、Ｖ４の各処理にそれぞれ対応する。
【００４２】
Ｘ３３では、フェムト基地局２０のＵＥ管理部２６は、ＵＥ３０からDetach  Requestを受信しＵＥ管理テーブルのＵＥ状態を更新後、監視タイマを起動する。監視タイマは、開始時点、すなわち、無線処理部２５が、デタッチを要求するための“ＵＬ  Information  Transfer”をＵＥ３０から受信した時点を起算時として、経過時間の計測を開始する。監視タイマは、ＵＥ３０の携帯網機能がオンにされた場合、換言すれば、アタッチ処理が再開された場合にはリセットされ、経過時間０から計測が再開される。Ｘ３６では、フェムト基地局２０のＵＥ管理部２６は、ＵＥ３０により携帯網機能がオンされないまま、上記起算時から所定時間（例えば、１時間〜数十時間）が経過すると、ＵＥ管理テーブル２６１から、“登録済”状態にあるＵＥＩＤを削除する。これにより、フェムト基地局２０による代替着信機能は、自律的に解除される。
【００４３】
なお、フェムト基地局２０のＵＥ管理部２６の監視するタイマがタイムアウトになる前に、ＵＥ３０の電源が再び投入された場合には、タイマ停止後に、上述したアタッチシーケンス（図１１参照）が実行される。
【００４４】
更に、フェムト基地局２０は、タイムアウト後に、ＭＭＥ１０への問合せを行い、ＵＥ３０が別の基地局に登録されていることを確認した上で、ＵＥ３０の登録を削除するものとしてもよい。図１６は、フェムト基地局２０が、デタッチ処理開始時から所定時間経過後、かつ、ＭＭＥ１０への問合せ後に登録済ＵＥ３０を削除する場合における代替着信登録削除処理を説明するためのシーケンス図である。図１６は、図１５と同様の処理を含むことから、共通するステップには、末尾が同一の参照符号を付すと共に、その詳細な説明は省略する。具体的には、図１６のステップＸ３０１〜Ｘ３０５の各処理は、図１５に示したステップＸ３１〜Ｘ３５の各処理にそれぞれ対応する。
【００４５】
ＵＥ３０の携帯網機能がオフ状態のまま、フェムト基地局２０のＵＥ管理部２６の監視タイマがタイムアウトを迎えると（Ｘ３０６）、フェムト基地局２０のＮＷ制御部２１は、ＭＭＥ１０に対し、ＵＥ管理情報の送信を要求する（Ｘ３０７）。該要求を受けたＭＭＥ１０のＮＷ制御部１５は、上記ＵＥ管理情報をフェムト基地局２０に送信する（Ｘ３０８）。該ＵＥ管理情報には、ＵＥ３０が、ＭＭＥ１０配下の基地局の内、何れの基地局に登録されているかを示す情報が含まれている。このため、上記ＵＥ管理情報を受信したフェムト基地局２０のＵＥ管理部２６は、該ＵＥ管理情報を参照することで、ＵＥ３０が自局以外の基地局（例えば、マクロ基地局７０）に登録済であるか否かを判別することができる。
【００４６】
Ｘ３０９では、フェムト基地局２０のＵＥ管理部２６は、ＵＥ３０が別の基地局に登録されている場合には、ＵＥ管理テーブル２６１からＵＥ３０の登録を削除するが、未登録の場合（フェムト基地局２０にのみ登録されている場合）には、監視タイマをリセットし、再起動する。再起動後は、フェムト基地局２０は、Ｘ３０４以降の処理を再び実行する。これにより、ＵＥ３０が、ＭＭＥ１０配下の何れの基地局にも登録されていないという事態は回避され、確実性の高い代替着信が実現される。
【００４７】
登録済ＵＥの削除は、フェムト基地局２０への直接操作に限らず、ＵＥ３０から間接的に行うこともできる。図１７は、ＵＥ３０が登録済ＵＥ３０を削除する場合における代替着信登録削除処理を説明するためのシーケンス図である。ＵＥ３０のユーザが、フェムト基地局２０における自ＵＥ３０の登録削除を指示すると（Ｘ４１）、ＵＥ３０は、フェムト基地局２０に対し、登録済ＵＥの削除を要求する（Ｘ４２）。該要求を受けたフェムト基地局２０のＵＥ管理部２６は、ＵＥ管理テーブル２６１から、“登録済”状態にあるＵＥ３０のＩＤを削除する（Ｘ４３）。Ｘ４４では、フェムト基地局２０の無線処理部２５は、登録済ＵＥの削除が完了したことを示す応答をＵＥ３０に返信する。これにより、フェムト基地局２０がＵＥ３０による着信を代替する機能は解除される。
【００４８】
ここで、ＵＥ３０が、代替着信登録を一旦行ったフェムト基地局２０のセルから、電源オフの状態で、別のマクロ基地局７０のセルに移動し、マクロ基地局７０のセル在圏下において、再び電源をオンにした場合を想定する。かかる場合には、双方の基地局の上位装置であるＭＭＥ１０が、移動元のフェムト基地局２０からＵＥ３０の登録を削除する。図１８は、フェムト基地局２０の上位装置が登録済ＵＥを削除する場合における代替着信登録削除処理の前半部分を説明するためのシーケンス図である。図１８において、ＵＥ３０が移動後に新たに接続したマクロ基地局７０（移動先基地局）の構成は、上述したフェムト基地局２０（移動元基地局）の構成と同様である。従って、以下の動作説明では、各基地局において共通する構成要素には、末尾が同一の参照符号を用いると共に、その図示及び詳細な説明は省略する。また、図１８は、図５と同様の処理を含むことから、共通するステップには、末尾が同一の参照符号を付すと共に、その詳細な説明は省略する。具体的には、図１８のステップＸ５１〜Ｘ６８の各処理は、図５に示したステップＳ１〜Ｓ１８の各処理にそれぞれ対応する。
【００４９】
図１９は、フェムト基地局２０の上位装置が登録済ＵＥを削除する場合における代替着信登録削除処理の後半部分を説明するためのシーケンス図である。図１９は、図６と同様の処理を含むことから、共通するステップの一部には、末尾が同一の参照符号を付すと共に、その詳細な説明は省略する。具体的には、図１９のステップＸ６９、Ｘ７０、及びＸ７４〜Ｘ８２の各処理は、図６に示したステップＳ１９、Ｓ２０、及びＳ２１〜Ｓ２９の各処理にそれぞれ対応する。
【００５０】
ＭＭＥ１０は、例えばＵＥ３０の認証完了後、ＵＥ３０によるアタッチの受入れを通知するAttach  Acceptをマクロ基地局７０に送信後に、登録済ＵＥ３０の削除をフェムト基地局２０に要求する（Ｘ７１）。該要求を受けたフェムト基地局２０のＵＥ管理部２６は、ＵＥ管理テーブル２６１から、“登録済”状態にあるＵＥ３０のＩＤを削除する（Ｘ７２）。Ｘ７３では、フェムト基地局２０は、登録済ＵＥ３０の削除が完了したことを示す応答をＭＭＥ１０に返信する。これにより、フェムト基地局２０がＵＥ３０による着信を代替する機能は解除される。なお、本実施例ではAttach  Accept受信を契機に登録済みＵＥの削除要求を行ったが、ＵＥ３０のアタッチ処理が完了した後（Ｘ８２の後）に行ってもよい。また、本実施例では、削除要求の対象となる基地局がフェムト基地局２０のみの場合を例示したが、ＭＭＥ１０は、Attach  Acceptの送信元基地局（マクロ基地局７０）を除く全ての配下の基地局に対し、登録済ＵＥ３０の削除を要求してもよい。
【００５１】
ここで、本実施例は、ＵＥ３０が、ハンドオーバをすることなく別の基地局のセルへ移動した場合にも適用することができる。図２０は、ＵＥ３０がフェムト基地局２０配下から携帯網機能を切断したまま移動し別の基地局（例えばマクロ基地局７０）配下で携帯網機能をONにするなど、ハンドオーバをすることなく、フェムト基地局２０からマクロ基地局７０に移動した場合の代替着信処理を説明するためのシーケンス図である。図２０は、図１１、図１４、図６と同様の処理を含むことから、共通するステップの一部には、末尾が同一の参照符号を付すと共に、その詳細な説明は省略する。具体的には、図２０のステップＹ１〜Ｙ７の各処理は、図１１に示したステップＷ１〜Ｗ６の各処理にそれぞれ対応する。また、図２０のステップＹ８〜Ｙ１２の各処理は、図１４に示したステップＸ１１〜Ｘ１７（但し、Ｘ１５、Ｘ１６を除く。）の各処理にそれぞれ対応する。更に、図２０のステップＹ１５〜Ｙ１８の各処理は、図６に示したステップＳ２０、Ｓ２１、Ｓ２４、Ｓ２５の各処理にそれぞれ対応する。
【００５２】
Ｙ１３では、ＭＭＥ１０は、登録済ＵＥ３０の移動をフェムト基地局２０に通知する（Ｙ１３）。該通知を受けたフェムト基地局２０のＵＥ管理部２６は、ＵＥ管理テーブル２６１にＵＥ３０が登録されている場合には、該登録を削除する。Ｙ１４では、フェムト基地局２０は、該通知の応答をＭＭＥ１０に返信する。これにより、例えば、ＵＥ３０のユーザが移動した後にまで、移動元のエリアにおいて、フェムト基地局２０が点滅や鳴動を継続することが未然に防止される。その結果、フェムト基地局２０の消費電力や処理負荷の節減された効率的な代替着信が可能となる。
【００５３】
なお、本実施例では、ＵＥ移動の通知対象となる基地局がフェムト基地局２０のみの場合を例示したが、ＭＭＥ１０は、INITIAL  Context  Setup  Requestの送信先基地局（マクロ基地局７０）を除く全ての配下の基地局に対し、登録済ＵＥ３０の移動を通知してもよい。
【００５４】
更に、本実施例は、ＵＥ３０がハンドオーバした場合にも適用することができる。図２１は、ＵＥ３０がフェムト基地局２０からマクロ基地局７０にハンドオーバした場合の代替着信処理を説明するためのシーケンス図である。Ｚ１では、フェムト基地局２０は、ＵＥ３０を送信元とするMeasurement  reportの受信により、ＵＥ３０の受信レベルの測定結果の報告を受ける。
【００５５】
フェムト基地局２０は、報告された上記測定結果に基づきＵＥ３０のハンドオーバが必要であると判定するとハンドオーバ処理を開始する（Ｚ２〜Ｚ１１）。
【００５６】
フェムト基地局２０はハンドオーバ処理が完了する（Ｚ１２）と、ハンドオーバしたＵＥ３０の登録を削除する。Ｚ１３では、ＵＥ３０のハンドオーバに伴い、フェムト基地局２０のＵＥ管理部２６は、ＵＥ管理テーブル２６１からＵＥ３０の登録を削除する。
【００５７】
以上説明した様に、本実施例に係る代替着信システム１は、フェムト基地局２０と、該フェムト基地局２０と通信可能なＭＭＥ１０とを有する。フェムト基地局２０は、ＵＥ管理部２６とＮＷ制御部２１と通知制御部２７とを有する。ＵＥ管理部２６は、フェムト基地局２０による着信制御の対象となるＵＥ３０を登録する。ＮＷ制御部２１は、ＵＥ管理部２６により登録されたＵＥ３０のフェムト基地局２０への在圏を検知した後に、ＵＥ３０とフェムト基地局２０との接続が終了（例えば、電源オフ、携帯網機能のオフ、省電力モードへの移行）した場合、該接続の終了を、ＭＭＥ１０に通知することなく終端することにより、ＭＭＥ１０にＵＥ３０の在圏情報を維持させる。また、ＮＷ制御部２１は、フェムト基地局２０とＭＭＥ１０との接続を維持する。通知制御部２７は、ＵＥ３０とＭＭＥ１０との接続の終了後にＵＥ３０宛の発呼を検知した場合、該発呼の検知を通知する。ＭＭＥ１０は、ＮＷ制御部１５を有する。ＮＷ制御部１５は、ＵＥ３０とＭＭＥ１０との接続が終了した場合、ＵＥ３０の在圏情報を維持すると共に、ＭＭＥ１０とフェムト基地局２０との接続を維持する。また、ＮＷ制御部１５は、ＵＥ３０宛の発呼を検知した場合、該発呼の検知をフェムト基地局２０に通知する。従って、ＵＥ３０がフェムト基地局２０と通信不能な場合にも、ＵＥ３０のユーザは、着信を検知することができるため、着信機会を漏らすことがなくなる。
【００５８】
フェムト基地局２０において、ＵＥ管理部２６は、ＵＥ３０からの発信時に、該ＵＥ３０を登録するものとしてもよい。発信したＵＥ３０は、その後、他のＵＥ等から着信する可能性が高い。このため、フェムト基地局２０が、発信時にＵＥ３０の代替着信登録を行うことで、該ＵＥ３０宛の発呼があった場合に、該ＵＥ３０のユーザは、自分宛に発呼があったことを確実かつ早期に検知することができる。
【００５９】
フェムト基地局２０において、ＵＥ管理部２６は、ＵＥ３０の登録から所定時間経過後に、該ＵＥ３０の登録を削除するものとしてもよい。すなわち、フェムト基地局２０は、ＵＥ３０の登録後、所定時間の経過に伴い、ＵＥ３０の登録を自動的に削除する。これにより、代替着信機能が不要になった場合にまで、フェムト基地局２０による代替着信が行われることが、未然に防止される。
【００６０】
なお、上記実施例では、ＵＥ３０が、フェムト基地局２０の通信エリアに在圏した後にフェムト基地局２０との接続を終了する要因として、ＵＥ３０の電源オフを例示した。しかしながら、これに限らず、上記要因は、ユーザが無線ＬＡＮやゲームの使用のため、ＵＥ３０の電源をオンとしたまま、携帯網機能をオフとした場合であってもよい。あるいは、上記要因は、ＵＥ３０が、消費電力の低減のため、フェムト基地局２０からの報知情報を受信しない省電力モードに移行した場合であってもよい。あるいは、上記要因は、ＵＥ３０が、ユーザの移動に伴い、フェムト基地局２０の通信圏外に移動した場合であってもよい。また、電源や携帯網機能のオフは、ユーザが意図したものであるか否かを問わず、例えば、ＵＥ３０の長時間の使用により、電池残量が０となった場合を含む。
【００６１】
また、上記実施例では、代替着信対象のＵＥとしてＵＥ３０が登録されている場合を想定したが、複数のＵＥが登録されている場合には、フェムト基地局２０は、着信のあったＵＥを識別可能な構成を採ることもできる。例えば、フェムト基地局２０の通知制御部２７は、着信のあったＵＥに応じて、通知手段を変えるものとしてもよい。具体的には、ＵＥ３０−１宛に発信があった場合には、通知制御部２７は、ＬＥＤ２０ｆにより着信を代替し、ＵＥ３０−２宛に発信があった場合には、スピーカ２０ｇにより着信を代替するものとしてもよい。また、通知制御部２７は、同じＬＥＤ２０ｆを通知手段として用いる場合でも、着信のあったＵＥによって、点灯させる色や時間、点滅間隔を変更するものとしてもよい。同様に、通知制御部２７は、スピーカ２０ｇを通知手段として用いる場合でも、着信のあったＵＥによって、出力する音や鳴動時間を変更するものとしてもよい。これにより、各ＵＥのユーザは、フェムト基地局２０による代替着信があった場合に、自己宛の着信であるか否かを簡易迅速に識別することができる。
【００６２】
更に、フェムト基地局２０は、ＵＥ３０の携帯網機能がオフになっている場合でも、端末自体の電源がオンであり、かつ、無線ＬＡＮ等の他の通信手段がオン状態にある時には、該通信手段を介して、ＵＥ３０宛の発信を通知するものとしてもよい。かかる態様によれば、フェムト基地局２０は、ＵＥ３０のユーザに対し、より直接的かつ確実に、ＵＥ３０宛の発信を通知することができる。その結果、代替着信システム１の信頼性が向上する。
【００６３】
また、上記実施例では、代替着信の登録は、ＵＥ３０のユーザからの要求やタイムアウトによって削除されるものとした。しかしながら、これに限らず、ユーザが、代替着信機能をオフまたはオンにする時間帯を設定するものとしてもよい。具体的には、ＵＥ３０のユーザが、フェムト基地局２０に対し、登録済ＵＥ３０の代替着信機能をオフ（解除）にする時間帯を予め設定した場合には、フェムト基地局２０は、上記時間帯には、登録済ＵＥ３０宛の発信があっても着信を通知しない。一方、ＵＥ３０のユーザが、フェムト基地局２０に対し、登録済ＵＥ３０の代替着信機能をオンにする時間帯を予め設定した場合には、フェムト基地局２０は、上記時間帯にのみ、登録済ＵＥ３０の着信を代替する。従って、就寝時（例えば、２２時〜６時）や食事中（例えば、１２時〜１３時）等、登録済ＵＥ３０のユーザが電話に出られない時間帯に、フェムト基地局２０が点滅したり鳴動したりして着信を知らせることがない。その結果、代替着信システム１の利便性が向上する。また、反対に、登録済ＵＥ３０のユーザが、１日の時間帯の内、特定の時間帯にのみ代替着信を行いたい場合には、その時間帯をフェムト基地局２０に事前に設定しておくことで、該ユーザは、代替着信機能の一時的な利用が可能となる。その結果、代替着信システム１の柔軟性が向上する。
【００６４】
上記実施例では、ＵＥ３０として、携帯電話、スマートフォン、Personal  Digital  Assistant（ＰＤＡ）等の無線通信端末を想定して説明したが、本発明は、移動局に限らず、基地局との通信機能を有する様々な通信機器に対して適用可能である。また、基地局の代替する着信に関しても、電話やメールの着信に限らず、ニュースや広告等の情報配信、あるいは、ソフトウェアアップグレードや緊急情報の通知であってもよい。更に、上記実施例では、ハンドオーバとして、ブロードバンド回線に接続されたフェムト基地局等の小型基地局と、マクロ基地局との間のハンドオーバを想定した。しかしながら、本発明は、これに限らず、小型基地局同士あるいはマクロ基地局同士のハンドオーバに対しても、適用可能である。
【００６５】
更に、図１に示したＭＭＥ１０の各構成要素は、必ずしも物理的に図示の如く構成されていることを要しない。すなわち、各装置の分散・統合の具体的態様は、図示のものに限らず、その全部又は一部を、各種の負荷や使用状況等に応じて、任意の単位で機能的又は物理的に分散・統合して構成することもできる。例えば、ＭＭＥ１０の呼制御部１３とＮＷ制御部１５、あるいは、フェムト基地局２０のＯＡＭ部２２とＢＢ処理部２４をそれぞれ１つの構成要素として統合してもよい。反対に、ＭＭＥ１０のＵＥ管理部１７に関し、ＵＥの識別、登録、削除を行う部分と、ＵＥの移動に関する情報を通知する部分とに分散してもよい。フェムト基地局２０のＮＷ制御部２１及び無線処理部２５に関し、各種信号やデータを受信する部分と、送信する部分とに分散してもよい。また、メモリ１０ｃ、２０ｃを、それぞれＭＭＥ１０、フェムト基地局２０の外部装置として、ネットワークやケーブル経由で接続する様にしてもよい。
【符号の説明】
【００６６】
１  代替着信システム
１０、１０−１、１０−２、・・・、１０−ｎ  ＭＭＥ（Mobility  Management  Entity）
１０ａ  スイッチ
１０ｂ  ＣＰＵ（Central  Processing  Unit）
１０ｃ  メモリ
１０ｄ  ＨＤＤ（Hard  Disk  Drive）
１０ｅ  ＮＩＣ（Network  Interface  Card）
１０ｆ  ネットワーク制御回路
１１  方路選択部
１２  ＯＡＭ（Operation  Administration  and  Maintenance）部
１３  呼制御部
１４  ローミング部
１５  ＮＷ制御部
１６  ＴＡ管理部
１７  ＵＥ管理部
２０、２０−１、２０−２、・・・、２０−ｎ  フェムト基地局
２０ａ  ＣＰＵ
２０ｂ  ＦＰＧＡ（Field  Programmable  Gate  Array）
２０ｃ  メモリ
２０ｄ、２０ｇ  ＲＦ（Radio  Frequency）回路
２０ｅ  ＮＩＣ
２０ｆ  ネットワーク制御回路
２０ｈ  ＬＥＤ（Light  Emitting  Diode）
２０ｉ  スピーカ
２０ｊ  ディスプレイ
２１  ＮＷ制御部
２２  ＯＡＭ部
２３  呼制御部
２４  ＢＢ（Base  Band）処理部
２５  無線処理部
２６  ＵＥ管理部
２７  通知制御部
２８  ＮＡＳsignaling処理部
３０、３０−１、３０−２、・・・、３０−ｎ  ＵＥ（User  Equipment）
４０  ＨＳＳ（Home  Subscriber  Server）
５０  Ｓ−ＧＷ（Serving-GateWay）
６０  ＰＤＮ−ＧＷ（Packet  Data  Network-GateWay）
７０  マクロ基地局
１７１  ＵＥ管理テーブル
１７１ａ  基地局ＩＤ格納領域
１７１ｂ  ＵＥＩＤ格納領域
２６１  ＵＥ管理テーブル
２６１ａ  ＵＥＩＤ格納領域
２６１ｂ  ＵＥ状態格納領域
２６１ｃ  ページング情報格納領域
Ａ１、Ａ２  アンテナ
Ｎ  ネットワーク
Ｎ１  インターネット網
【図１】
2014093667.tif 000003
【図２Ａ】
2014093667.tif 000004
【図２Ｂ】
2014093667.tif 000005
【図３】
2014093667.tif 000006
【図４】
2014093667.tif 000007
【図５】
2014093667.tif 000008
【図６】
2014093667.tif 000009
【図７】
2014093667.tif 000010
【図８】
2014093667.tif 000011
【図９】
2014093667.tif 000012
【図１０】
2014093667.tif 000013
【図１１】
2014093667.tif 000014
【図１２】
2014093667.tif 000015
【図１３】
2014093667.tif 000016
【図１４】
2014093667.tif 000017
【図１５】
2014093667.tif 000018
【図１６】
2014093667.tif 000019
【図１７】
2014093667.tif 000020
【図１８】
2014093667.tif 000021
【図１９】
2014093667.tif 000022
【図２０】
2014093667.tif 000023
【図２１】
2014093667.tif 000024